(57)【要約】      （修正有）【課題】医用データの表示に係る利便性を向上させる医用情報処理システムを提供する。【解決手段】医用情報処理システムを構成する医用情報処理装置は１００は、一又は複数の医用データを同一の画面内に表示する表示制御機能１５１と、前記画面内に表示された前記医用データに対する操作を受け付ける操作受付機能１５２と、操作の対象となった前記医用データの特性及び操作の内容に応じて、当該医用データ又は当該医用データに関係する他の医用データの表示方法を変更する表示支援機能１５３と、を有する。【選択図】図２
2020184262.tif 000002
【特許請求の範囲】
【請求項１】
一又は複数の医用データを同一の画面内に表示する表示制御部と、
前記画面内に表示された前記医用データに対する操作を受け付ける操作受付部と、
操作の対象となった前記医用データの種別及び操作の内容に応じて、当該医用データ又は当該医用データに関係する他の医用データの表示方法を変更する表示支援部と、
を有する医用情報処理システム。
【請求項２】
前記表示支援部は、画像データ又は時系列データの医用データに対し、表示範囲を変更する操作が前記操作受付部で受け付けられた場合、前記表示範囲を変更する過程を表したアニメーションを生成し、当該アニメーションを表示させながら前記医用データの表示範囲を変更する、請求項１に記載の医用情報処理システム。
【請求項３】
前記表示支援部は、前記表示範囲の変更を指示する操作として、前記表示範囲の拡大又は縮小を指示する操作が前記操作受付部で受け付けられた場合、前記表示範囲を拡大又は縮小する過程を表したアニメーションを生成する、請求項２に記載の医用情報処理システム。
【請求項４】
前記表示支援部は、画像表示範囲の変更を指示する操作として、前記表示範囲の移動を指示する操作が前記操作受付部で受け付けられた場合、前記表示範囲を移動する過程を表したアニメーションを生成する、請求項２に記載の医用情報処理システム。
【請求項５】
前記表示支援部は、一又は複数の要素を含む医用データに対し、特定の要素を選択する操作が前記操作受付部で受け付けられた場合、当該特定の要素に関係する他の医用データを強調して表示する請求項１に記載の医用情報処理システム。
【請求項６】
前記表示支援部は、操作の対象となった前記医用データを強調して表示する請求項５に記載の医用情報処理システム。
【請求項７】
前記表示支援部は、前記画面に表示された操作の対象となった前記医用データ及び前記特定の要素に関係する他の医用データ以外の領域を非表示にする、請求項５又は６に記載の医用情報処理システム。
【請求項８】
前記表示支援部が前記医用データに実行した処理の内容を再生すること可能な再生データを生成し、操作の対象となった前記医用データに対応付けて記録する記録部と、
前記医用データに対する操作に応じて、当該医用データに対応付けて記録された前記再生データを再生する再生部と、
を更に有する請求項１〜６の何れか一項に記載の医用情報処理システム。
【請求項９】
前記画面の表示内容を、ネットワーク接続された複数の装置間で共有する画面共有部を更に備える、請求項１〜７の何れか一項に記載の医用情報処理システム。
【発明の詳細な説明】
【技術分野】
【０００１】
本発明の実施形態は、医用情報処理システムに関する。
【背景技術】
【０００２】
医師等の医療従事者は、種々の医用データを総合的に用いて被検体（例えば、患者）の診断及び治療を行っている。また、複数人の医療従事者によって、被検体の治療方針等を検討することも行われている。例えば、医用カンファレンスでは、画面表示された医用情報を参照しながら、複数の医療従事者が合議することで診断及び治療方針を策定することが行われている。
【０００３】
ところで、上述したカンファレンスのように複数の医療従事者によって方針を決めるような場合、例えば被検体の担当医師は、容態を説明するための資料を被検体の医用データに基づいて作成することになる。このような場合、資料を作成する医療従事者は、問題となる特定部位を拡大又は抜き出した静的な資料を作成することが一般的である。しかしながら、静的な資料の提示だけでは、特定部位の周辺の状態や、他の医用データとの関係性を容易に把握することができず、利便性に欠けるものとなっていた。
【先行技術文献】
【特許文献】
【０００４】
【特許文献１】特開２００９−１９３１５７号公報
【発明の概要】
【発明が解決しようとする課題】
【０００５】
本発明が解決しようとする課題は、医用データの表示に係る利便性を向上させることである。
【課題を解決するための手段】
【０００６】
実施形態に係る医用情報処理システムは、一又は複数の医用データを同一の画面内に表示する表示制御部と、前記画面内に表示された前記医用データに対する操作を受け付ける操作受付部と、操作の対象となった前記医用データの特性及び操作の内容に応じて、当該医用データ又は当該医用データに関係する他の医用データの表示方法を変更する表示支援部と、を有する。
【図面の簡単な説明】
【０００７】
【図１】図１は、実施形態に係る医用情報処理システムの構成例を示す図である。
【図２】図２は、実施形態に係る医用情報処理装置の構成の一例を示す図である。
【図３】図３は、実施形態の表示制御機能によって表示される画面の一例を示す図である。
【図４】図４は、実施形態の表示制御機能によって表示される画面の一例を示す図である。
【図５】図５は、実施形態に係る表示支援機能の動作の一例を説明するための図である。
【図６】図６は、実施形態に係る表示支援機能の動作の一例を説明するための図である。
【図７】図７は、実施形態に係る表示支援機能の動作の一例を説明するための図である。
【図８】図８は、実施形態に係る表示支援機能の動作の一例を説明するための図である。
【図９】図９は、実施形態の医用情報処理装置で実行される処理の一例を示すフローチャートである。
【発明を実施するための形態】
【０００８】
以下、図面を参照しながら、医用情報処理システムの実施形態について説明する。
【０００９】
図１は、本実施形態に係る医用情報処理システムの構成例を示す図である。図１に示すように、医用情報処理システム１は、検体検査システム３００、放射線部門システム４００、電子カルテシステム５００、統合データサーバ６００及び医用情報処理装置１００を有し、ネットワーク２００を介して通信可能に接続される。例えば、医用情報処理システム１は病院等に設置され、院内ＬＡＮ等のネットワーク２００によって、各システム及び医用情報処理装置１００が相互に接続される。なお、ネットワーク２００に接続される医用情報処理装置１００の個数は特に問わないものとする。
【００１０】
検体検査システム３００は、被検体に対して実施された検体検査に関する検体検査データを生成し、システム内の記憶回路に記憶する。そして、検体検査システム３００は、記憶回路に記憶されている検体検査データを統合データサーバ６００に送信する。
【００１１】
放射線部門システム４００は、被検体を撮像することで得られた画像データを、システム内の記憶回路に記憶する。また、放射線部門システム４００は、被検体に対して実施されたバイタルや画像検査に関するレポートデータを生成し、システム内の記憶回路に記憶する。例えば、放射線部門システム４００は、ＰＡＣＳ（Picture  Archiving  and  Communication  Systems）等を含む。また、画像検査には、Ｘ線ＣＴ（Computed  Tomography）装置によって撮像されたＣＴ画像を用いた検査や、ＭＲＩ（Magnetic  Resonance  Imaging）装置によって撮像されたＭＲ画像を用いた検査、超音波診断装置によって撮像された超音波画像を用いた検査、Ｘ線診断装置によって撮像されたＸ線画像を用いた検査等が含まれる。そして、放射線部門システム４００は、記憶回路に記憶されている画像データ及びレポートデータを統合データサーバ６００に送信する。
【００１２】
電子カルテシステム５００は、被検体に対して実施された処方や看護記録に関するカルテデータを生成して、システム内の記憶回路に記憶する。そして、電子カルテシステム５００は、記憶回路に記憶されているカルテデータを統合データサーバ６００に送信する。
【００１３】
統合データサーバ６００は、プロセッサ等の処理回路、ＲＡＭ（Random  Access  Memory）、フラッシュメモリ等の半導体メモリ素子、ハードディスク、光ディスク等によって実現される記憶回路を備る、ワークステーションやサーバ装置等のコンピュータ機器によって実現される。
【００１４】
統合データサーバ６００は、検体検査システム３００、放射線部門システム４００、及び電子カルテシステム５００から各種のデータを収集し、サーバ内の記憶回路に記憶する。具体的には、統合データサーバ６００の記憶回路は、放射線部門システム４００、及び電子カルテシステム５００から取得した各種のデータを記憶・管理するための統合ＤＢ（Data  Base）６１０を保持する。ここで、統合ＤＢ６１０に記憶されるデータには、数値（計測値）や画像、診療記録等の情報と、それらの記録日時を示す情報と、患者等の被検体を識別する情報（患者ＩＤ）が含まれる。
【００１５】
例えば、統合ＤＢ６１０には、検体検査データ、バイタルデータ、画像データ、レポートデータ、カルテデータ等が含まれる。検体検査データは、検体検査システム３００から取得した検体検査に関する医用データである。また、バイタルデータは、放射線部門システム４００から取得したバイタルに関する医用データである。また、レポートデータ及び画像データは、放射線部門システム４００から取得した画像検査に関する医用データである。また、カルテデータは、電子カルテシステム５００から取得した処方及び看護記録に関する医用データである。
【００１６】
医用情報処理装置１００は、ネットワーク２００を介して、統合データサーバ６００から各種の医用データを取得し、取得した医用データの表示に係る各種の情報処理を行う。例えば、医用情報処理装置１００は、ワークステーションやパーソナルコンピュータ、タブレット端末等のコンピュータ機器によって実現される。
【００１７】
図２は、医用情報処理装置１００の構成の一例を示す図である。図２に示すように。医用情報処理装置１００は、通信インタフェース１１０と、記憶回路１２０と、入力インタフェース１３０と、ディスプレイ１４０と、処理回路１５０とを有する。
【００１８】
通信インタフェース１１０は、処理回路１５０に接続されており、医用情報処理装置１００と各システムとの間で行われる各種データの伝送及び通信を制御する。具体的には、通信インタフェース１１０は、各システムから医用データを受信し、受信した医用データを処理回路１５０に出力する。例えば、通信インタフェース１１０は、ネットワークカードやネットワークアダプタ、ＮＩＣ（Network  Interface  Controller）等によって実現される。
【００１９】
記憶回路１２０は、処理回路１５０に接続されており、各種データを記憶する。具体的には、記憶回路１２０は、各システムから受信した医用データを記憶する。例えば、記憶回路１２０は、ＲＡＭ（Random  Access  Memory）、フラッシュメモリ等の半導体メモリ素子や、ハードディスク、光ディスク等によって実現される。なお、記憶回路１２０は、記憶部の実現手段の一例である。
【００２０】
入力インタフェース１３０は、処理回路１５０に接続されており、操作者から各種指示及び各種情報の入力操作を受け付ける。具体的には、入力インタフェース１３０は、操作者から受け付けた入力操作を電気信号へ変換して処理回路１５０に出力する。例えば、入力インタフェース１３０は、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。なお、本明細書において、入力インタフェース１３０は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インタフェース１３０の例に含まれる。
【００２１】
ディスプレイ１４０は、処理回路１５０に接続されており、各種情報及び各種画像を表示する。具体的には、ディスプレイ１４０は、処理回路１５０から送られる各種情報及び各種画像のデータを表示用の電気信号に変換して出力する。例えば、ディスプレイ１４０は、液晶モニタやＣＲＴ（Cathode  Ray  Tube）モニタ、タッチパネル等によって実現される。
【００２２】
処理回路１５０は、入力インタフェース１３０を介して操作者から受け付けた入力操作に応じて、医用情報処理装置１００の構成要素を制御する。具体的には、処理回路１５０は、通信インタフェース１１０から出力される診療データを記憶回路１２０に記憶させる。また、処理回路１５０は、記憶回路１２０から診療データを読み出し、ディスプレイ１４０に表示する。例えば、処理回路１５０は、プロセッサによって実現される。
【００２３】
上述した構成の医用情報処理装置１００は、例えば、医師、看護師、検査技師等の医療従事者毎や部署毎に用意され、種々の用途に使用される。具体的には、医用情報処理装置１００は、カンファレンス又はプレゼンテーション等に使用する資料の作成や、当該資料の表示用に使用することができる。例えば、医療従事者は、医用情報処理装置１００を用いることで、被検体の容態を説明するための資料を当該被検体の医用データに基づき作成することになる。
【００２４】
ところで、上述したカンファレンス等で使用される資料は、問題となる特定部位を拡大又は抜き出した静的な医用データであることが一般的である。しかしながら、静的な医用データの提示だけでは、特定部位周辺の状態や、他の医用データとの関係性を容易に把握することができず、利便性に欠けるものとなっていた。
【００２５】
そこで、本実施形態の医用情報処理装置１００は、上述したカンファレンス等で資料として使用される医用データの表示に係る利便性を向上させるための機能を有している。
【００２６】
具体的には、医用情報処理装置１００は、表示制御機能１５１と、操作受付機能１５２と、表示支援機能１５３と、記録機能１５４と、再生機能１５５と、画面共有機能１５６とを有する。なお、表示制御機能１５１は、表示制御部の一例である。また、操作受付機能１５２は、操作受付部の一例である。また、表示支援機能１５３は、表示支援部の一例である。また、記録機能１５４は、記録部の一例である。また、再生機能１５５は、再生部の一例である。また、画面共有機能１５６は、画面共有部の一例である。
【００２７】
表示制御機能１５１は、入力インタフェース１３０を介して指定された医用データを、ディスプレイ１４０に表示する。具体的には、表示制御機能１５１は、統合データサーバ６００の統合ＤＢ６１０から、入力インタフェース１３０を介して指定された被検体（患者ＩＤ）の医用データを取得し、取得した医用データをディスプレイ１４０の画面に表示する。
【００２８】
図３及び図４は、表示制御機能１５１によって表示される画面の一例を示す図である。表示制御機能１５１は、操作者からの指定に応じて、図３及び図４に示すように、一又は複数の医用データを同一の画面内に表示する。なお、図３及び図４は、特定の被検体に係る医用データの表示例を示している。
【００２９】
図３に示すように、表示制御機能１５１は、タイムライン表示領域１１と、医用データ表示領域１２とを含む画面１０をディスプレイ１４０に表示する。
【００３０】
ここで、タイムライン表示領域１１には、表示対象の被検体に対する診療行為のイベントが時系列順に表示される。イベントは、検体検査システム３００により検体検査の取得イベント（検体検査）、放射線部門システム４００によるバイタルデータの取得イベント（バイタル）、放射線部門システム４００によるレポートデータ及び画像データの取得イベント（画像検査、レポート）、電子カルテシステム５００によるカルテデータの取得イベント（カルテ記載）等を意味する。例えば、表示制御機能１５１は、患者に対する診療行為のイベントの内容を象徴的に表した図柄を、時系列順に配置して表示する。
【００３１】
そして、表示制御機能１５１は、タイムライン表示領域１１に表示された表示期間のうちの何れかの時点又は期間を指定する操作を受け付けると、指定された時点又は期間に実施されたイベントについて、医用データの内容を医用データ表示領域１２に表示する。このとき、表示制御機能１５１は、統合データサーバ６００の統合ＤＢ６１０を参照して、指定された時点又は期間に実施されたイベントに関する医用データを取得し、取得した医用データの内容を医用データ表示領域１２に表示する。
【００３２】
例えば、表示制御機能１５１は、統合ＤＢ６１０に含まれる画像データを参照して、指定された時点又は期間で実施された画像検査に関する画像データを画像データ表示領域１２１に表示する。また、例えば、表示制御機能１５１は、統合ＤＢ６１０に含まれるバイタルデータを参照して、指定された時点又は期間で実施されたバイタルに関する計測値の変化を示す時系列データ（グラフ）をバイタルデータ表示領域１２２に表示する。また、例えば、表示制御機能１５１は、統合ＤＢ６１０に含まれる検体検査データを参照して、指定された時点又は期間で実施された検体検査に関する計測値の変化を示す時系列データ（グラフ）を検体検査データ表示領域１２３に表示する。また、例えば、表示制御機能１５１は、統合ＤＢ６１０に含まれるカルテデータを参照して、指定された時点又は期間で実施された処方及び看護記録に関するカルテデータをカルテデータ表示領域１２４に表示する。
【００３３】
ここで、医用データ表示領域１２内のレイアウト及び表示項目は、任意に変更することが可能となっている。例えば、図４に示すように、図３の画像データ表示領域１２１に代えて、レポートデータ表示領域１２５を医用データ表示領域１２内に表示することもできる。この場合、表示制御機能１５１は、統合ＤＢ６１０に含まれるレポートデータを参照して、指定された時点又は期間で実施された画像検査に関するレポートデータをレポートデータ表示領域１２５に表示する。
【００３４】
図３に戻り、操作受付機能１５２は、入力インタフェース１３０を介して、医用データ表示領域１２に表示された医用データに対する操作を受け付ける。
【００３５】
具体的には、操作受付機能１５２は、医用データ表示領域１２に表示された医用データの表示範囲の変更を指示する操作を受け付ける。ここで、「表示範囲」は、画像データ表示領域１２１、バイタルデータ表示領域１２２及び検体検査データ表示領域１２３等の表示領域に表示された医用データの画像のうち、表示領域内に実際に表示される画像の範囲を意味する。
【００３６】
例えば、操作受付機能１５２は、画像データ表示領域１２１に表示される画像データの表示範囲の変更を指示する操作として、特定の領域の拡大表示を指示する操作（ズームイン操作）、拡大表示した領域の縮小を指示する操作（ズームアウト操作）、表示範囲を上下左右の何れかの方向に移動させる操作（シフト操作）等を受け付ける。
【００３７】
また、例えば、操作受付機能１５２は、バイタルデータ表示領域１２２及び検体検査データ表示領域１２３に表示される時系列データの表示範囲の変更を指示する操作として、特定の期間の拡大表示を指示する操作（ズームイン操作）、拡大表示した期間の縮小を指示する操作（ズームアウト操作）、表示範囲を時系列の前後方向に移動させる操作（シフト操作）等を受け付ける。
【００３８】
なお、表示範囲の変更を指示するための操作方法は特に問わず、種々の方法を採用することが可能である。例えば、画像データの中から所望の範囲（画像領域）が手動で指定されることで、指定された画像領域に含まれる画像データの部分を拡大表示してもよい。また、時系列データの中から所望の範囲（期間）が手動で指定されることで、指定された期間に含まれる時系列データの部分を拡大表示してもよい。また、例えば、固定の拡大率（縮小率）を予め設定しておくことで、ワンクリック等の一度の操作で操作された部位又は期間を拡大（縮小）してもよい。
【００３９】
また、操作受付機能１５２は、医用データ表示領域１２に表示された医用データから一部の要素を選択指示する操作を受け付ける。例えば、操作受付機能１５２は、検体検査データ表示領域１２３に表示されたカルテデータに対する操作として、カルテデータに含まれた一部の要素（例えば、特定の日時の看護記録等）を選択する操作を受け付ける。
【００４０】
表示支援機能１５３は、医用データ表示領域１２に表示された医用データに対して上述した操作が行われると、その操作内容に応じた表示支援処理を実行する。具体的には、表示支援機能１５３は、操作の対象となった医用データの種別及びその操作内容に応じて、操作対象の医用データ又は当該医用データに関係する他の医用データの表示方法を変更する。
【００４１】
例えば、操作の対象となった医用データの種別が画像データであり、操作の内容が拡大表示を指示するものであった場合、表示支援機能１５３は、操作の対象となった画像データの表示方法を以下のように制御する。まず、表示支援機能１５３は、拡大前の画像データの表示範囲から拡大後の画像データの表示範囲に至るまでの過程を表したアニメーションを生成する。そして、表示支援機能１５３は、拡大前の画像データの表示範囲から拡大後の画像データの表示範囲に表示を切り替える間に、生成したアニメーションを表示させる。つまり、表示支援機能１５３は、生成したアニメーションを表示させながら、画像データの表示範囲を変更する。なお、アニメーションは動画に限らず、連続画像をも含む概念である。
【００４２】
図５は、表示支援機能１５３の動作の一例を説明するための図である。なお、画像Ｇ１１は、画像データ表示領域１２１に表示された拡大前の画像データの表示範囲を示しており、画像Ｇ１２は、拡大後の画像データの表示範囲を示している。
【００４３】
ここで、操作受付機能１５２が、画像Ｇ１１中の領域Ａ１１の部分を拡大表示する操作を受け付けたとする。この場合、表示支援機能１５３は、画像Ｇ１１から画像Ｇ１２に至るまでの過程を表したアニメーションＧ１１１、Ｇ１１２、…を生成し、生成したアニメーションを表示させながら画像Ｇ１２に表示を切り替える。
【００４４】
このように、表示支援機能１５３は、画像データに対し表示範囲の変更が指示された場合に、変更に至るまでの過程をアニメーション表示させながら表示範囲の変更を行う。これにより、医用データ（画像データ）を参照する医療従事者は、表示範囲の変更に係る一連の過程を観察することで、変更後の表示範囲、つまり領域Ａ１１の周辺の状態を容易に把握することができる。
【００４５】
なお、アニメーションＧ１１１、Ｇ１１２…の生成は、画像Ｇ１２への切り替え動作と並行して行われてもよいし、画像Ｇ１２への切り替え前の前処理として行われてもよい。また、アニメーションを構成する画像データ（フレーム）の個数は特に問わないものとするが、表示範囲の変更過程を滑らかに表現することが可能な個数とすることが好ましい。
【００４６】
また、例えば、操作の対象となった医用データの種別が時系列データであり、操作の内容が拡大表示を指示するものであった場合、表示支援機能１５３は、操作の対象なった時系列データの表示方法を以下のように制御する。まず、表示支援機能１５３は、拡大前の時系列データの表示範囲から拡大後の時系列データの表示範囲に至るまでの過程を表したアニメーションを生成する。そして、表示支援機能１５３は、拡大前の時系列データの表示範囲から拡大後の時期餌列データの表示範囲に表示を切り替える間に、生成したアニメーションを表示させる。つまり、表示支援機能１５３は、生成したアニメーションを表示させながら、時系列データの表示範囲を変更する。
【００４７】
図６は、表示支援機能１５３の動作の一例を説明するための図である。図６は、バイタルデータ表示領域１２２に表示された時系列データの一例である。
なお、画像Ｇ２１は、バイタルデータ表示領域１２２に表示された拡大前の時系列データの表示範囲を示しており、画像Ｇ２２は、拡大後の時系列データの表示範囲を示している。
【００４８】
ここで、操作受付機能１５２が、画像Ｇ２１中の期間Ａ２１の部分を拡大表示する操作を受け付けたとする。この場合、表示支援機能１５３は、画像Ｇ２１から画像Ｇ２２に至るまでの過程を表したアニメーションＧ２１１、Ｇ２１２、…を生成し、生成したアニメーションを表示させながら画像Ｇ２２に表示を切り替える。
【００４９】
このように、表示支援機能１５３は、時系列データに対し表示範囲の変更が指示された場合に、変更に至るまでの過程をアニメーション表示させながら表示範囲の変更を行う。これにより、医用データ（時系列データ）を参照する医療従事者は、表示範囲の変更に係る一連の過程を観察することで、変更後の表示範囲、つまり期間Ａ２１の周辺の状態を容易に把握することができる。
【００５０】
なお、図５及び図６では、拡大表示（ズームイン操作）の場合の表示方法について説明したが、ズームアウト操作及びシフト操作の場合も同様に、表示範囲を変更する過程を表したアニメーションを生成し、生成したアニメーションを表示させながら表示範囲の変更を行うものとする。
【００５１】
また、例えば、操作の対象となった医用データの種別が、文字列等の一又は複数の要素を含むカルテデータであり、操作の内容が特定の要素を選択指示するものであった場合、表示支援機能１５３は、選択された要素に関係する他の医用データを強調して表示させる。
【００５２】
図７は、表示支援機能１５３の動作の一例を説明するための図である。なお、図７に示す画面１０は、図４と同様の画面を示すものである。
【００５３】
図７において、例えば、カルテデータ表示領域１２４に表示されたカルテデータの中から、或る記録日時のカルテデータが選択されると、表示支援機能１５３は、選択されたカルテデータに含まれる記録日時（日時）を医用データ間の関係性を示す要素に設定する。次いで、表示支援機能１５３は、設定した日時を基点とし、その基点から所定の期間内（例えば、前後６時間）に記録された他の医用データを、医用データ表示領域１２に表示された医用データの中から検索する。そして、カルテデータ表示領域１２４は、検索した他の医用データを強調して表示する。
【００５４】
図７では、カルテデータ表示領域１２４に表示されたカルテデータの中から、「２０１７年８月９日１３：００」付のカルテデータが選択された例を示しており、当該カルテデータに関係する他の医用データとして、レポートデータ表示領域１２５のレポートデータを強調表示した例を示している。具体的には、図７では、レポートデータに対し枠状の装飾Ｄ１を施すことで強調表示を行っている。
【００５５】
なお、強調表示の方法は、図７に例に限定されないものとする。例えば、レポートデータ表示領域１２５を点滅させたり、装飾Ｄ１を点滅させたりしてもよい。また、図７の装飾Ｄ２に示すように、選択されたカルテデータについても、同様の方法で強調表示させてもよい。また、例えば、図８に示すように、選択された医用データ（カルテデータ）及び当該医用データに関係する他の医用データ（レポートデータ）以外の領域を非表示とすることで、関係する医用データのみを強調表示させる形態としてもよい。
【００５６】
このように、表示支援機能１５３は、カルテデータ等の医用データから特定の要素が選択された場合に、選択された要素に関係する他の医用データを強調して表示する。これにより、医用データを参照する医療従事者は、強調表示された医用データを観察することで、選択された要素と他の医用データとの関係性を容易に把握することができる。
【００５７】
なお、上述した例では、レポートデータを強調表示する例を示したが、例えば、選択された要素の期間が、バイタルデータや検体検査データ等の時系列データに含まれる場合には、これら時系列データ中の該当する期間を強調表示させてもよい。さらに、上述した拡大表示の方法で、時系列データ中の該当する期間を表示させてもよい。
【００５８】
また、上述した例では、医用データに含まれる日時（記録日時）を、医用データ間の関係性を示す要素に設定したが、関係性を示す要素はこれに限らないものとする。例えば、検査種別や薬剤名等を医用データ間の関係性を示す要素としてもよい。
【００５９】
また、上述した例では、関係する他の医用データの検索は、医用データ表示領域１２に表示された医用データの中から行うものとしたが、これに限らないものとする。例えば、タイムライン表示領域１１に表示された各イベントの医用データを検索範囲に含めてもよい。
【００６０】
図３に戻り、記録機能１５４は、医用データに対して表示支援機能１５３が実行した表示支援処理の内容を記録することで、当該表示支援処理を再生することが可能な再生データを生成する。
【００６１】
例えば、表示支援機能１５３が表示範囲の変更指示に応じて、画像データ又は時系列データの表示範囲を変更する処理を行った場合、記録機能１５４は、表示支援機能１５３が生成したアニメーションを取得し、当該アニメーションを再生することが可能な再生データを生成する。また、記録機能１５４は、生成した再生データを、操作の対象となった医用データを識別可能な情報に対応付けて記録する。なお、記録機能１５４は、アニメーション部分に限らず、表示範囲の変更前後の状態（画像）を含めた、表示範囲の変更に係る一連する再生データを生成することが好ましい。
【００６２】
また、例えば、表示支援機能１５３が、選択された医用データの要素に関係する他の医用データを強調表示させる処理を行った場合、記録機能１５４は、強調表示の対象となった他の医用データを識別する情報と、強調表示の方法とを含む再生データを生成する。そして、記録機能１５４は、生成した再生データを、選択操作の対象となった医用データ又は要素を識別可能な情報に対応付けて記録する。
【００６３】
また、記録機能１５４は、表示支援機能１５３が処理を行った順に再生データを記録することで、操作者が医用データに対して行った一連の操作内容を再生可能に記録してもよい。記録された再生データは、例えば、記憶回路１２０等に保存される。
【００６４】
なお、記録機能１５４が記録する対象は、表示支援機能１５３の処理に限らないものとする。例えば、記録機能１５４は、表示制御機能１５１が医用データ表示領域１２に表示した医用データを識別可能な情報及びそのレイアウト等を再生データとして記録してもよい。また、表示制御機能１５１により、医用データ表示領域１２に表示する医用データが変更された場合には、その変更に係る処理内容を再生データとして記録してもよい。
【００６５】
また、記録機能１５４は、表示支援機能１５３が実行する全ての処理内容を記録する形態としてもよいし、一部の処理内容を記録する形態としてもよい。後者の場合、例えば、表示範囲の変更操作のみを記録の対象としてもよいし、操作者からの指示に応じて記録する対象を決定してもよい。この場合、記録機能１５４は、記録するか否かを選択させるための操作画面を画面１０に表示させてもよい。また、特定の医用データに行われる処理内容のみを記録の対象としてもよい。
【００６６】
再生機能１５５は、記録機能１５４が記録した再生データを再生する。具体的には、再生機能１５５は、再生データが対応付けられた医用データに対し所定の操作が行われると、その医用データに対応付けられた再生データを再生する。これにより、表示支援機能１５３が医用データに対して行った表示支援処理の内容が再生される。
【００６７】
例えば、表示範囲の変更に係る表示支援処理の内容が再生データとして記録されている場合、再生機能１５５は、その再生データを再生することで、表示支援機能１５３によって生成されたアニメーションを再生する。また、例えば、医用データの強調表示に係る表示支援処理の内容が再生データとして記録されている場合、再生機能１５５は、その再生データを再生することで、医用データの強調表示を再現する。
【００６８】
ここで、再生データの再生を指示する操作方法は特に問わないものとするが、拡大率の指定等の設定操作は不要となるため、例えば１クリック等の簡易な操作とすることができる。例えば、操作者が行った一連の操作内容が記録されている場合には、再生機能１５５は、クリック操作が行われる毎に、再生データを順次再生する。
【００６９】
ところで、再生機能１５５は、表示支援機能１５３による処理が全て終了した後、つまり操作者が医用データを操作することで資料を作成し終えた後に、カンファレンス等の場で使用されることを想定している。そのため、例えば、表示支援機能１５３及び再生機能１５５の何れか一方が有効となるよう、排他的に機能を制限する形態としてもよい。
【００７０】
なお、表示支援機能１５３及び再生機能１５５を併用することで、再生データが未記録の医用データについては表示支援機能１５３を使用し、再生データが記録済の医用データについては再生機能１５５を使用する形態としてもよい。また、表示支援機能１５３及び再生機能１５５のうち、表示支援機能１５３のみを用いて、操作者が医用データの操作を行いながらカンファレンス等の場で、資料（医用データ）の表示を行う形態としてもよい。
【００７１】
画面共有機能１５６は、自装置のディスプレイ１４０に表示された画面の全体又は一部を、ネットワーク２００を介して接続された他の医用情報処理装置１００（以下、共有先装置）のディスプレイ１４０に表示させることで画面の共有を行う。例えば、画面共有機能１５６は、自装置のディスプレイ１４０に表示された画面の全体を、カンファレンス等に参加した医療従事者が操作する共有先装置のディスプレイ１４０に表示させる。
【００７２】
ここで、画面共有機能１５６は、表示制御機能１５１が表示する画面を共有するとともに、表示支援機能１５３又は再生機能１５５により表示される表示効果も共有することになる。そのため、共有先装置を操作する医療従事者は、説明を行う操作者が操作する医用情報処理装置１００のディスプレイ１４０に表示された画面（医用データ）の状態を同時に観察することができる。
【００７３】
また、画面共有機能１５６は、画面の一部として、自装置のディスプレイ１４０に表示された表示効果や当該画面に対して行われた操作内容を、共有先装置との間で共有する形態としてもよい。例えば、カンファレンス等の現場では、複数の医用情報処理装置１００の各々で同一の医用データを表示するような場合であっても、表示する画面のレイアウトが相違することがある。このような場合、画面共有機能１５６は、共有先装置のディスプレイ１４０に表示されている医用データのうち、自装置のディスプレイ１４０に表示されている医用データと同一の医用データに対し、自装置で行われた表示効果や操作内容（例えば、ハイライト等の強調表示）を反映（共有）してもよい。
【００７４】
これにより、共有先装置を操作する医療従事者は、ディスプレイ１４０に表示された画面レイアウトを維持したまま、説明を行う操作者が操作する医用情報処理装置１００のディスプレイ１４０に表示された画面（医用データ）の状態を同時に観察することができる。
【００７５】
なお、画面共有機能１５６が他装置との間で共有可能な画面は、自装置のディスプレイ１４０に実際に表示されている画面に限らないものとする。例えば、再生データ等の形態で作成された共有用の画面（レイアウト等）が非表示の状態で保持されている場合には、画面共有機能１５６は、その共有用の画面を共有先装置に表示させてもよい。これにより、例えば、説明を行う操作者は、自装置のディスプレイ１４０にカンファレンス用の画面を表示させながら、当該画面とは異なる画面（例えば、診断根拠となる医用データ等）を共有先装置のディスプレイ１４０に表示させることができる。また、この場合、共有用の画面は、選択可能とすることが好ましい。
【００７６】
また、画面共有機能１５６は、他の医用情報処理装置１００の画面共有機能１５６から共有用の画面（画面の全体又は一部）が提供された場合には、提供された画面を自装置のディスプレイ１４０に表示させてもよい。これにより、医用情報処理装置１００間で相互に画面の共有を行うことができる。
【００７７】
また、画面共有機能１５６は、他の医用情報処理装置１００の画面共有機能１５６から共有用の画面を受け付ける場合、当該画面を表示するか否かを自装置の操作者に確認させてもよい。この場合、例えば、画面共有機能１５６は、他の医用情報処理装置１００から共有用の画面を受け付けると、表示するか否かを確認するためメッセージや操作子を自装置のディスプレイ１４０に表示させる。そして、画面共有機能１５６は、操作者から表示が指示された場合に、他の医用情報処理装置１００から提供された共有用の画面を自装置のディスプレイ１４０に表示させる。また、他の例としては、操作者は共有用の画面を表示するか否かを示した設定情報を予め設定しておき、画面共有機能１５６は、表示することが設定されている場合に、他の医用情報処理装置１００から提供された共有用の画面を表示させてもよい。これにより、共有先装置側では、他の医用情報処理装置１００から提供された共有用の画面が意図せず表示されてしまうことを防ぐことができるため、利便性の向上を図ることができる。
【００７８】
なお、他の医用情報処理装置１００の画面共有機能１５６から提供された共有用の画面を自装置に表示する場合には、元の画面も表示できるよう構成することが好ましい。例えば、画面共有機能１５６は、他の医用情報処理装置１００の画面共有機能１５６から提供された共有用の画面と、元の画面とをタブ形式等で切り替え可能に表示させてもよい。また、例えば、画面共有機能１５６は、他の医用情報処理装置１００の画面共有機能１５６から提供された共有用の画面を表示させる際に、元の画面の内容（レイアウト等）を保存しておき、操作者からの指示に応じて、共有用の画面と元の画面とを切り替え可能に表示させてもよい。
【００７９】
次に、図９を参照して、上述した医用情報処理装置１００の動作について説明する。こここで、図９は、医用情報処理装置１００で実行される処理の一例を示すフローチャートである。
【００８０】
まず、入力インタフェース１３０を介して患者ＩＤが入力される等により、操作者から表示の対象となる被検体が指定される（ステップＳ１１）。被検体が指定されと、表示制御機能１５１は、その被検体に関する医用データを統合ＤＢ６１０から取得する（ステップＳ１２）。次いで、表示制御機能１５１は、図３に示したように、取得した医用データを同一の画面内に表示させる（ステップＳ１３）。
【００８１】
続いて、操作受付機能１５２は、医用データに対する操作を受け付けたか否かを判定する（ステップＳ１４）。ここで、医用データに対する操作を受け付けない場合（ステップＳ１４；Ｎｏ）、操作受付機能１５２は、ステップＳ２３に処理を移行させる。
【００８２】
また、操作受付機能１５２が医用データに対する操作を受け付けた場合（ステップＳ１４；Ｙｅｓ）、表示支援機能１５３は、その操作内容が医用データ（画像データ又は時系列データ）の表示範囲の変更を指示するものか否かを判定する（ステップＳ１５）。
【００８３】
操作内容が表示範囲の変更を指示するものである場合（ステップＳ１５；Ｙｅｓ）、表示支援機能１５３は、表示範囲を変更する過程を表したアニメーションを生成し（ステップＳ１６）、生成したアニメーションを表示させながら表示範囲を変更する（ステップＳ１７）。そして、表示支援機能１５３は、ステップＳ２０に処理を移行させる。
【００８４】
一方、操作内容が医用データ中の要素を選択するものであった場合（ステップＳ１５；Ｎｏ）、表示支援機能１５３は、選択された要素に関係する他の医用データを検索する（ステップＳ１８）。次いで、表示支援機能１５３は、検索した医用データを強調表示させる（ステップＳ１９）。そして、表示支援機能１５３は、ステップＳ２０に処理を移行させる。なお、選択された要素に関係する医用データが存在しない場合には、表示支援機能１５３は、ステップＳ１４に処理を戻すものとする。
【００８５】
続いて、記録機能１５４は、表示支援機能１５３が実行した処理の内容を記録するか否かを判定する（ステップＳ２０）。例えば、表示範囲の変更に係る処理のみ記録するよう設定されている場合には、ステップＳ１５で表示範囲の変更が指示されたと判定されたことを条件に、記録すると判定する。また、例えば、操作者から記録を行うことが指示された場合に、記録すると判定する。
【００８６】
記録機能１５４は、記録すると判定した場合（ステップＳ２０；Ｙｅｓ）、表示支援機能１５３が実行した処理内容に基づき再生データを生成する（ステップＳ２１）。次いで、記録機能１５４は、生成した再生データを操作の対象となった医用データを識別可能な情報に対応付けて記録し（ステップＳ２２）、ステップＳ２３に移行する。また、記録機能１５４は、記録しないと判定した場合（ステップＳ２０；Ｎｏ）、ステップＳ２３に直ちに移行する。なお、記録機能１５４は、表示支援機能１５３が実行した処理の順に再生データの記録を行うものとする。
【００８７】
続いて、操作受付機能１５２は、本処理の終了が指示されたか否かを判定する（ステップＳ２３）。ここで、終了が指示されない場合（ステップＳ２３；Ｎｏ）、操作受付機能１５２は、ステップＳ１４に処理を戻す。また、本処理の終了が指示された場合（ステップＳ２３；Ｙｅｓ）、操作受付機能１５２は、表示制御機能１５１と協働し、医用データを表示している画面を閉じる等することで本処理を終了する。
【００８８】
なお、図９の処理では、表示支援機能１５３が処理を行う毎に、再生データを記録するか否かを判定する形態としたが、これに限らないものとする。例えば、判定を行わずに自動で記録を行う形態としてもよい。また、図９の処理の終了直前に、記録するか否かを判定する形態としてもよい。
【００８９】
上述したように、本実施形態では、一又は複数の医用データを同一の画面内に表示し、医用データに対する操作を受け付け、操作の対象となった医用データの特性及び操作の内容に応じて、当該医用データ又は当該医用データに関係する他の医用データの表示方法を変更する。これにより、例えば、カンファレンスに参加した医療従事者は、医用情報処理装置１００のディスプレイ１４０に表示される画面を参照することで、資料の作成者が着目した特定部位の周辺の状態や、医用データ間の関係性を容易に把握することができるため、医用データの表示に係る利便性を向上させることができる。
【００９０】
なお、上述した実施形態は、医用情報処理装置１００が有する構成又は機能の一部を変更することで、適宜に変形して実施することも可能である。そこで、以下では、上述した実施形態に係るいくつかの変形例を説明する。なお、以下では、上述した実施形態と異なる点を主に説明することとし、既に説明した内容と共通する点については詳細な説明を省略する。また、以下で説明する変形例は、個別に実施されてもよいし、適宜組み合わせて実施されてもよい。
【００９１】
（変形例１）
上述した実施形態では、医用情報処理装置１００が表示制御機能１５１、操作受付機能１５２、表示支援機能１５３、記録機能１５４、再生機能１５５及び画面共有機能１５６を有する形態としたが、これら機能の一部又は全てを、医用情報処理装置１００以外の他の装置が有する形態としてもよい。
【００９２】
例えば、統合データサーバ６００が、上述した各機能の一部又は全てを有する形態としてもよい。この場合、統合データサーバ６００は、Ｗｅｂサービス等の形態で上述した各機能の一部又は全てを、医用情報処理装置１００の各々が利用可能に提供してもよい。また、この場合、統合データサーバ６００は一のコンピュータ装置に限らず、ネットワーク接続された複数のコンピュータ装置により実現される形態としてもよい。
【００９３】
なお、上述した各実施形態では、本明細書における表示制御部、操作受付部、表示支援部、記録部、再生部及び画面共有部を、それぞれ、処理回路１５０の表示制御機能１５１、操作受付機能１５２、表示支援機能１５３、記録機能１５４、再生機能１５５及び画面共有機能１５６によって実現する場合の例を説明したが、実施形態はこれに限られない。例えば、本明細書における表示制御部、操作受付部、表示支援部、記録部、再生部及び画面共有部は、実施形態で述べた表示制御機能１５１、操作受付機能１５２、表示支援機能１５３、記録機能１５４、再生機能１５５及び画面共有機能１５６によって実現する他にも、ハードウェアのみ、又は、ハードウェアとソフトウェアとの混合によって同機能を実現するものであっても構わない。
【００９４】
また、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路１２０に保存されたプログラムを読み出して実行することで、機能を実現する。なお、記憶回路１２０にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態のプロセッサは、単一の回路として構成される場合に限らず、複数の独立した回路を組み合わせて一つのプロセッサとして構成され、その機能を実現するようにしてもよい。
【００９５】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００９６】
以上説明した少なくとも１つの実施形態によれば、医用データの表示に係る利便性を向上させることができる。
【００９７】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９８】
１  医用情報処理システム
１００  医用情報処理装置
１５１  表示制御機能
１５２  操作受付機能
１５３  表示支援機能
１５４  記録機能
１５５  再生機能
１５６  画面共有機能
２００  ネットワーク
３００  検体検査システム
４００  放射線部門システム
５００  電子カルテシステム
６００  統合データサーバ
【図１】
2020184262.tif 000003
【図２】
2020184262.tif 000004
【図３】
2020184262.tif 000005
【図４】
2020184262.tif 000006
【図５】
2020184262.tif 000007
【図６】
2020184262.tif 000008
【図７】
2020184262.tif 000009
【図８】
2020184262.tif 000010
【図９】
2020184262.tif 000011